(57)【要約】【課題】デザイン面の印刷面の文字デザイン色にかかわらず、また印刷面の視認性を犠牲にすることなく、光学式マウスの正常動作に必要とされる反射光量を、透過層の表面および内部からの反射光量により取得し、かつ、不要電磁波を低減させる光学式マウス用のマウスパッドを提供する。【解決手段】可視光透過性を有すると共に光学式マウスからの照射光に対して所定の反射率を有する透過層と、透過層の下側に配置され可視光透過性を有すると共に光学式マウスからの照射光に対して所定の吸収率を有するフィルタ層と、フィルタ層の下側に配置され文字デザイン等が表示されるデザイン面と、デザイン面の下側に配置される電磁波低減手段と、電磁波低減手段の下側に配置される基材層とから構成する。【選択図】  図１
2008097568.tif 000002
【特許請求の範囲】
【請求項１】
可視光透過性を有し、光学式マウスからの照射光に対して光学式マウスの正常動作に必要とされる所定の反射率を有すると共に、当該照射光に対して所定の吸収率を有することを特徴とする光学式マウス用のマウスパッド。
【請求項２】
可視光透過性を有すると共に、光学式マウスからの照射光に対して光学式マウスの正常動作に必要とされる所定の反射率を有する透過層と、
当該透過層の下側に配置され、可視光透過性を有すると共に、当該透過層を通過した当該照射光に対して所定の吸収率を有するフィルタ層と、
からなることを特徴とする光学式マウス用のマウスパッド。
【請求項３】
可視光透過性を有すると共に、光学式マウスからの照射光に対して光学式マウスの正常動作に必要とされる所定の反射率を有する透過層と、
当該透過層の下側に配置され、可視光透過性を有すると共に、当該透過層を通過した当該照射光に対して所定の吸収率を有するフィルタ層と、
当該フィルタ層の下側に配置される基材層と、
からなることを特徴とする光学式マウス用のマウスパッド。
【請求項４】
基材層に、電磁波低減手段を設けることにより、外来電磁波の電気エネルギーを吸収させることを特徴とする請求項３記載の光学式マウス用のマウスパッド。
【請求項５】
基材層に、電磁波低減手段およびマイナスイオン発生手段を設けることにより、外来電磁波の電気エネルギーを吸収した当該電磁波低減手段から発生する熱エネルギーを当該マイナスイオン発生手段が吸収して、マイナスイオンを発生させることを特徴とする請求項３記載の光学式マウス用のマウスパッド。
【請求項６】
透過層に、マイナスイオン発生手段を設けることにより、光学式マウスの操作に伴う摩擦や圧力等の外力を受けた当該マイナスイオン発生手段からマイナスイオンを発生させることを特徴とする請求項２、３、４または５記載の光学式マウス用のマウスパッド。
【発明の詳細な説明】
【技術分野】
【０００１】
本発明はマウスパッドの可視光透過性を有する表面シートの裏面側に表示される写真や絵図等のデザイン面や作業机表面の透過視認性を犠牲にすることなく、デザイン面や机表面からの反射光量を極力減らして、光学式マウスの正常動作に必要とされる反射光量を透過層からの反射光量により取得する光学式マウス用のマウスパッドに関する。
【背景技術】
【０００２】
一般にコンピュータの操作に用いるマウスにはボール式と光学式があるが、最近では非接触型の光学式マウスが普及している。光学式マウスでは、発光器と受光器を対向して取付け、発光器から発光された照射光をマウスパッドで反射させ、これを受光器で受光して、光学式マウスの移動方向と移動距離を正確に検出するようにしている。
【０００３】
この光学式マウスに使用する従来のマウスパッドとしては、紙や樹脂のシートの表面に光学的な特性を有する特殊なインクを用いてカラー印刷面を形成し、この上に透明なプラスチックフィルムを接着した構造のものがある。（例えば特許文献１）。しかしながら、例えば、赤色や黄色のカラー印刷面に光学式マウスからの赤外線領域の照射光が当ると、照射光の多くがカラー印刷面に吸収されて、カラー印刷面で反射した反射率（反射光量）が極端に低下してしまう。逆に、カラー印刷面に反射率の高い金属光沢や鏡面を表現した場合には、反射率が極端に大きくなってしまう。これらいずれの場合でも、光学式マウスの受光部の光電変換素子の解像力が低下して誤動作する問題が生じやすい。これらにより、光学式マウスの正常動作に必要な反射光量の適正範囲から外れてしまい、移動方向と移動距離を正確に検出する能力（トラッキング能力）が低下して、光学式マウスが誤動作する問題が生じやすい。
【０００４】
他方、コンピュータ本体や携帯電話等の無線機器から発生する電磁波は、人体の健康に悪影響を与える可能性が近年指摘されている。コンピュータ作業者にとっては、作業環境における不要電磁波を少しでも低減させる構造を作業者近傍に設置することが有効である。
また、種々の電子機器から発生する電磁波に囲まれた作業環境においては、身体の慢性疲労やストレスを受けやすい状態となっているとも考えられる。このような観点から作業環境における不要電磁波を低減させると同時に、健康増進に対して積極的に作用する機能を有する電磁波遮蔽部材が提案されている（例えば特許文献２）。
【特許文献１】特開平１０−３２０１１０
【特許文献２】特開２００４−２２５６８
【発明の開示】
【発明が解決しようとする課題】
【０００５】
本発明は上記問題を改善し、光学式マウスのトラッキング能力を低下させることなく、色の制限のない任意のデザイン面を形成でき、かつ、作業環境における不要電磁波を低減させると共に、マイナスイオン発生機能を付与することにより、作業環境の改善を図ることが可能な光学式マウス用のマウスパッドを提供するものである。
【課題を解決するための手段】
【０００６】
本発明の第１構成における光学式マウス用のマウスパッドは、可視光透過性を有し、光学式マウスからの照射光に対して光学式マウスの正常動作に必要とされる所定の反射率を有すると共に、当該照射光に対して所定の吸収率を有することを特徴とする。
第１構成のマウスパッドは、マウスパッドが置かれる机等の上面の視認性を犠牲にすることなく、光学式マウスの正常動作に必要とされる所定範囲内の反射光量のほとんどをマウスパッド表面部分からの反射光から取得する。したがって、マウスパッドは所定の反射率を有している必要がある。光学式マウスの正常動作に必要とされる所定範囲内の反射光量とは、光学式マウスの移動量を検出するために必要な必要最低限の反射光量と光学式マウスの移動に伴う反射光量の所定範囲内の振幅である。
さらに、マウスパッドに照射光に対して所定の吸収率を付与することで、机等の上面に置いたマウスパッドを通過した照射光が机等の上面に到達した後、机等の上面で反射して再びマウスパッドへ入射する復路においても照射光のほとんどがマウスパッドに吸収される。従って、机等の上面に到達した照射光からの反射光量は著しく低く抑えられる。
【０００７】
本発明の第２構成における光学式マウス用のマウスパッドは、可視光透過性を有すると共に、光学式マウスからの照射光に対して光学式マウスの正常動作に必要とされる所定の反射率を有する透過層と、当該透過層の下側に配置され、可視光透過性を有すると共に、当該透過層を通過した当該照射光に対して所定の吸収率を有するフィルタ層と、からなることを特徴とする。
第２構成のマウスパッドは、マウスパッドが置かれる机等の上面の視認性を犠牲にすることなく、光学式マウスの正常動作に必要とされる所定範囲内の反射光量のほとんどを透過層で反射した反射光から取得する。したがって、透過層は所定の反射率を有している必要がある。光学式マウスの正常動作に必要とされる所定範囲内の反射光量とは、光学式マウスの移動量を検出するために必要な必要最低限の反射光量と光学式マウスの移動に伴う反射光量の所定範囲内の振幅である。
さらに、透過層の下側に照射光に対して所定の吸収率を有するフィルタ層を形成することで、透過層を通過した照射光がフィルタ層への入射する往路と、マウスパッドが置かれる机等の上面に到達した照射光が机等の上面で反射して再びフィルタ層へ入射する復路において、透過層を通過した照射光のほとんどがフィルタ層で吸収される。従って、机等の上面に到達した照射光からの反射光量は著しく低く抑えられる。また、透過層は、上面をエンボス加工して凹凸構造を設けるか、内部にシリカ粉末などの反射手段を混在させる等により所定の反射率を確保し、光学式マウス移動に伴う反射率の変化を生じさせて反射光量を所定範囲内で変化させてトラッキング能力を確保している。一方、反射手段はフィルタ層を通過して机等の上面に到達した照射光からの反射光を拡散してマウス側に入射しにくくする効果もある。
また、反射手段はマウスパッドが机等の上面の印刷物などの色彩豊かなデザイン面上に置かれたような場合に、印刷物の印刷面における極端な色違いの境界やオフセット印刷の網点が存在しても、光拡散性によりデザイン面の異なる色の部分の境界や網点周縁のぼかし効果があるため、光学式マウスのトラッキング能力の低下および誤動作が防止される。
【０００８】
本発明の第３構成における光学式マウス用のマウスパッドは、可視光透過性を有すると共に、光学式マウスからの照射光に対して光学式マウスの正常動作に必要とされる所定の反射率を有する透過層と、当該透過層の下側に配置され、可視光透過性を有すると共に、当該透過層を通過した当該照射光に対して所定の吸収率を有するフィルタ層と、当該フィルタ層の下側に配置される基材層と、からなることを特徴とする。
第３構成のマウスパッドは、第１構成のフィルタ層の下側に基材層を設けることで、基材層の上面側に表現色豊かな模様や鏡面をデザイン面として表現でき、かつ、デザイン面からの反射率を、透過層およびフィルタ層側で適宜調整したマウスパッドを設計、製作できることとなる。
【０００９】
本発明の第４構成における光学式マウス用のマウスパッドは、第３構成の基材層に、電磁波低減手段を設けることにより、外来電磁波の電気エネルギーを吸収させることを特徴とする。
第４構成のマウスパッドは、電磁波低減手段を設けることで、マウスパッドに入射する外来電磁波の電気エネルギーを吸収するから、作業者の作業環境を改善する効果がある。
本発明の第５構成における光学式マウス用のマウスパッドは、第３構成の基材層に、電磁波低減手段およびマイナスイオン発生手段を設けることにより、外来電磁波の電気エネルギーを吸収した当該電磁波低減手段から発生する熱エネルギーを当該マイナスイオン発生手段が吸収して、マイナスイオンを発生させることを特徴とする。
第５構成のマウスパッドは、マウスパッドに入射する外来電磁波の低減と同時にマイナスイオンが発生することとなり、作業者の作業環境を改善する効果がある。
【００１０】
本発明の第６構成における光学式マウス用のマウスパッドは、第２乃至第５構成の透過層にマイナスイオン発生手段を混合することにより、光学式マウス操作に伴う摩擦や圧力等の外力を受けたマイナスイオン発生手段からマイナスイオンを発生させることを特徴とする。
第６構成のマウスパッドは、コンピュータの作業者がマウス操作をすることで、透過層に含有するマイナスイオン発生手段には、常に摩擦や押圧等の外力が与えられてマイナスイオンの発生効果が得られることとなる。マイナスイオンは人間の体内で体液を弱アルカリ性にしたり、細胞膜の電位に影響を与えて物質交換を促進したり、新陳代謝させるため、作業者の自律神経を安定させることが期待されるから、作業者の作業環境を改善する効果がある。
【００１１】
以下、本発明の構成の詳細について詳述する。
（１）透過層
透過層としては、可視光透過性を有する実質的に透明な樹脂やガラスなどの有機物、無機物あるいは混合物を用いることができる。透過層を構成する実質的に透明な有機物としては特に限定されないが、好ましい樹脂の例としては、ポリエチレンテレフタレート、ポリブチレンテレフタレート等のポリエステル樹脂、ポリメチルメタクリレート等のアクリル樹脂、ポリエチレン、ポリプロピレン、エチレン−α-オレフィン共重合体等のポリオレフィン樹脂、ポリスチレン樹脂、ＡＢＳ樹脂、ポリアミド樹脂、エポキシ樹脂等が挙げられる。
【００１２】
また、透過層には光学式マウスからの照射光に対して光学式マウスの正常動作に必要とされる反射光量を反射させるため、照射光に対して所定の反射率を有する必要がある。光学式マウスからの照射光に対して光学式マウスの正常動作に必要とされる反射光量とは、光学式マウスの正常動作に必要な反射光量の確保と、光学式マウスの移動に伴って反射光量の増減が正確に検出されることである。そのため、透過層の表面側全面をすりガラス状等に凹凸加工して反射部とするか、ビーズを単独あるいは混合して、透過層に含有させて反射部とすることができる。ビーズの素材としては、アクリル樹脂やガラス等の透明な微粒子が好ましい。ビーズには、光を反射、拡散させる等の効果があるため、その粒径範囲は光学式マウスの移動方向と移動距離を正確に検出する能力（トラッキング能力）を考慮して決定される。
透過層を形成する別手法としては、後述する基材層上に上塗り層である透過層をはじく下塗りとして後述するフィルタ層を印刷形成し、その上にクリアーな電子線または紫外線硬化型の上塗り層をインキまたは塗料を塗布して凹凸感のあるマット加工（艶消し）部分を形成して、照射光に対する所定の反射率を付与した透過層とすることもできる。
【００１３】
（２）フィルタ層
フィルタ層としては、透過層と同様に可視光透過性を有する実質的に透明な樹脂やガラスなどの有機物、無機物あるいは混合物を用いることができる。また、フィルタ層は、フィルタ層自体を光学式マウスからの照射光の波長領域の光を吸収する素材とするか、照射光を吸収する照射光吸収剤をフィルタ層の全面に設ければよい。
照射光吸収剤としては、例えば、照射光の波長が、８００〜１１００ｎｍ程度の近赤外線領域である場合、フタロシアニン化合物、アントラキノン系化合物、更には、硫化鉛やチオ尿素誘導体などの照射光吸収剤を樹脂に混合することで、照射光吸収剤とすることができる。フィルタ層を形成する樹脂への照射光吸収剤の添加量としては、フタロシアニン化合物であれば０．００５〜０．１重量％、アントラキノン系化合物であれば０．０１〜１０重量％である。フィルタ層を形成する樹脂に上記した照射光吸収剤を添加することで、可視光線透過性に優れると共に、８００〜１１００ｎｍの近赤外線遮蔽能に優れた透過層が形成される。フィルタ層は照射光の波長領域に応じて最適な照射光吸収剤を選択することができる。
【００１４】
また、透過層とフィルタ層と別体構成せず、いずれか一方に他方の機能を付与して統合することもできる。フィルタ層の上面側に凹凸形状を有するエンボス板あるいはエンボスロールなどを用いて、常温加圧あるいはホットプレスによりフィルタ層の表面に凹凸感のあるマット加工を施して、フィルタ層自体に透過層を形成することもできる。
【００１５】
（３）基材層
基材層は、マウスパッド自体の強度を確保する等、マウスパッドの最下層として用いられるものであり、水や破れに強い例えば合成紙、ポリエチレン等により適宜形状に形成される。また、基材層の上面には後述するデザイン面を印刷、積層、蒸着などにより形成してもよい。基材層の厚さは０．１〜０．３ｍｍのものが好ましい。基材層の厚さが０．１ｍｍ未満では強度が弱く耐久性が低くなる問題があり、また０．３ｍｍを超えると机表面との段差が大きくなるからである。一方、基材層にクッション性を求める場合、発泡ポリウレタン、発泡ポリエチレン、発泡ポリスチレン等を用いて、例えば１〜５ｍｍの厚みとしてもよい。さらに、基材層の下面にはマウスパッドが机上で滑ることを防止すため適宜の滑り止めを設けるようにしても良い。なお、光学式マウスの操作を行う机等の上面の全体又は一部を基材層とすることもでき、その場合、机の天板部の上面が本発明のマウスパッドとして機能することとなる。
【００１６】
（４）デザイン面
デザイン面は、オフセット印刷やインクジェット印刷などに適した印刷面や蒸着面として基材層上に形成され、必要に応じて適宜の文字や絵図が形成される。印刷面には、特殊なインクを用いる必要はなく、通常のインクを用いることが可能である。なお、印刷面に印刷する替わりに転写による画像形成や、金属蒸着等による鏡面形成も可能である。
【００１７】
（５）電磁波低減手段
電磁波低減手段は、電磁波遮蔽体が電磁波を吸収して電磁波の電気エネルギーを熱エネルギーに変換する。ここで電磁波とは、電磁場の周期的な変化に起因して生じる電場と磁場の両方を含む波動であって、放射線、光、電波を含むものである。
電磁波遮蔽体としては磁性材であるマンガン−亜鉛系のフェライトの他、ニッケル−亜鉛系、マグネシウム−亜鉛系のフェライト、あるいはそれらの２種以上の混合物でもよいし、鉄粉などを使用することも可能である。電磁波遮蔽体としての鉄や珪素は静磁界を遮蔽するものであり透磁率の大きい材料を選択すればよく、アルミナ、ニッケルは静電界あるいは周波数が低い電界をシールドするものであり、銅は高周波域での遮蔽性能が大きい。電磁波低減手段を形成するための印刷用インクに対する電磁波遮蔽体の混合比率は、低減が必要とされる電磁波の波長領域に対するインピーダンス特性に応じて適宜調整する。インピーダンスは抵抗成分Ｒとインダクタンス成分ｊωＬとからなっており、抵抗成分Ｒは、特に電気エネルギーを熱エネルギーに変換する作用を果たす。
電磁波低減手段における電磁波遮蔽体は、基材層上に積層あるいは塗布により形成可能であるが、デザイン面の形成に使用するインクの顔料としてデザイン面上の全部または一部に印刷や塗布することも可能である。
【００１８】
（６）マイナスイオン発生手段
マイナスイオン発生手段としては、天然稀有元素と遠赤外線放射鉱物の無機混合物の焼成粉末などが挙げられる。主として放射性鉱物を含有するセラミックス粉体が使用され、例えば、微量のトリウムやウラン等を含む放射性レア・アース鉱石と、遠赤外線を放射するジルコン、ジルコニア、アルミナ、シリカ等のセラミックスが挙げられる。天然放射性稀有元素鉱物の微粒子と遠赤外線放射性セラミックス微粒子の無機混合物の焼成粉体も有用である。マイナスイオン発生手段としては、遠赤外線放射鉱物であるトルマリンもよく知られている。トルマリンは珪酸塩鉱物であり、自発分極を有し、圧電性や焦電性を示す。また、水分子に触れると水分子を電気分解し、界面活性物質であるヒドロキシルイオンを生成する。そしてヒドロキシルイオンが空気中に放出されることで空気がマイナスイオン化されることも知られている。さらに、トルマリンは人間の体温程度の温度であっても安定した波長の遠赤外線を放射する物質であることが認められている。
透過層の表面からマイナスイオン発生手段を若干〜粒径の１／３程度突出させることは、作業者との接触面積が増大してマイナスイオンの発生効果が増大する効果が期待できるため好ましいものである。
【発明の効果】
【００１９】
本発明に係るマウスパッドによれば、光学式マウスのトラッキング能力を低下させることなく、色の制限のない任意のデザインの印刷面を形成できる。
また、外来電磁波の存在下では、電磁波低減手段に含まれる電磁波遮蔽体による電磁波低減に加えて、同じく電磁波低減手段にマイナスイオン発生手段が含まれる場合にはマイナスイオンの発生効果が期待できる。さらに、透過層にマイナスイオン発生手段を添加した場合、コンピュータの作業環境において、マウス操作時の摩擦や圧力等を受けた透過層からもマイナスイオンの発生効果が期待できる。
加えて、本発明に係る光学式マウスパッドは、基材層上にフィルタ層および透過層を印刷手段により形成でき、必要に応じて基材層上に電磁波遮蔽体、デザイン面を形成してからフィルタ層および透過層を印刷手段により形成できる。従って、マウスパッドの製造工程を大幅に簡略化できるなど顕著な効果を奏するものである。本発明のマウスパッドは、デザイン面に商品広告や会社名などを印刷して、販促品や景品として利用することにより、単なるチラシ広告とは違って、常時、机に貼り付けて長期間に亘って使用されるので、その広告宣伝効果は絶大である。
【００２０】
以下、本発明に係る光学式マウスパッドについて具体的実施形態に基づき説明する。
【発明を実施するための最良の形態】
【００２１】
［実施形態１］
図１は実施形態１におけるマウスパッドの概略断面図である。実施形態１のマウスパッドＭ１は、透過層１ａ、フィルタ層２、デザイン面３、電磁波低減手段４、基材層５から構成している。
透過層１ａに用いる樹脂は、可視光透過性を有する実質的に透明な樹脂にマイナスイオン発生手段としてのトルマリンの粉体を混合して調製したものである。
フィルタ層２に用いる樹脂は、可視光透過性を有する実質的に透明な樹脂に照射光吸収剤としてアントラキノン系化合物を１重量％程添加したものである。
【００２２】
デザイン面３は、下層を形成する後述の電磁波低減手段４上に、例えば花のイラストやカレンダーその他の表示等を赤色や黄色、緑などのインクを用いて印刷される。
電磁波低減手段４に用いる樹脂には、電磁波遮蔽体としての磁性粉とマイナスイオン発生手段としてのトルマリンの粉体を混合して調製したものである。
基材層５は、矩形状のポリエチレンシートからなり、破損防止のための強度および耐水性を考慮して０．３ｍｍ程度の厚さとしている。基材層５の下面側には滑り止め（図示省略）を設けている。
マウスパッドＭ１は、以下の工程により製造する。まず、基材層５の上面に電磁波低減手段４に用いる電磁波遮蔽体を含有した樹脂を印刷により塗布して電磁波低減手段４を形成する。次に、電磁波低減手段４の上面にデザイン面３を形成するためのインクを用いて画像を印刷することでデザイン面３を形成する。
続いて、デザイン面３の上面にフィルタ層２を形成するための樹脂を印刷により塗布してフィルタ層２を形成する。最後に、フィルタ層２の上面に透過層１ａを形成するための樹脂を印刷により塗布して透過層１ａを形成する。透過層１ａの表面側には凹凸を形成してエンボス部１０としている。エンボス部１０を有する透過層１ａを形成する別手法としては、デザイン面３上に上塗り層である透過層１ａをはじく下塗りとしてフィルタ層２を印刷形成し、その上に電子線または紫外線硬化型の透過層１ａをインキまたは塗料を塗布して、凹凸感のあるマット加工（艶消し）部分をエンボス部１０として形成してもよい。透過層１ａおよびフィルタ層２は可視光透過性を有しているため、肉眼によるデザイン面３の透過視認性を損なうことはない。さらに、透過層１ａの耐摩耗性を向上させるために、熱硬化や紫外線硬化等任意の方法で透過層の硬化処理を施してもよい。また、マイナスイオン発生手段、電磁波低減手段４、デザイン面３は必須構成ではないため省略することも可能である。
【００２３】
［実施形態２］
図２は実施形態２におけるマウスパッドＭ２の概略断面図である。
透過層１ｂは、実質的に透明な印刷用のインクにビーズ１１とマイナスイオン発生手段としてのトルマリンの粉体を混合して調製したものである。実施形態２のその他の構成は実施形態１と同様であるため、実施形態１と同様の符号を付し、詳細な説明は省略する。
【００２４】
上記構成を有する実施形態１、２のマウスパッドＭ１、Ｍ２は以下のように作用する。図３は実施形態１および２におけるマウスパッドの模式説明図である。
まず、光学式マウスｍ用のマウスパッドとしての機能について説明する。マウスパッドＭ１を机ｆの上に載せると、基材層５の下面側に設けた滑り止めにより机上に固定される。このマウスパッドＭ１の上に光学式マウスｍを載せて移動させると、光学式マウスｍの発光器ａから照射された照射光ｂは、透過層１ａ（１ｂ）の表面のエンボス部１０（ビーズ１１）で反射した反射光ｃ１と、透過層１ａ（１ｂ）の内部のトルマリン粒子やビーズで反射した反射光ｃ２と、透過層１ａ（１ｂ）とフィルタ層２を通過して、デザイン面３の印刷面３０で反射して、再びフィルタ層２と透過層１ａ（１ｂ）を通過した反射光ｃ３がからなる反射光量として受光器ｄに入射する。
【００２５】
ここで、フィルタ層２には照射光吸収剤が存在するため、全反射光量（ｃ１＋ｃ２＋ｃ３）に対する反射光ｃ３成分による影響を５〜１０％と低く抑えることが可能である。フィルタ層２による照射光吸収率を９０％とした場合、往路でデザイン面３に達した１０％の照射光は、デザイン面３で全反射したとしても復路においてその１／１０である１％まで低下するから、全反射光量に対する反射光ｃ３比は、１％程度まで低くすることも可能である。
したがって、光学式マウスｍの正常動作に必要とされる反射率eを、デザイン面３の文字や画像などによらず、多くの光学式マウスｍが正常動作するとされる反射率の増減範囲内に設定することが可能である。
【００２６】
また、透過層１ａ（１ｂ）の表面付近に設けたエンボス部１０（ビーズ１１）の存在により、光学式マウスｍの移動に伴って受光器ｄに入射する入射光量が小刻みに変動して光学式マウスｍの移動方向および移動距離を正確に認識する能力（トラッキング能力）が低下することなく正常動作する。
一方、透過層１ａ（１ｂ）およびフィルタ層２は可視光透過性を有するように形成されているため、デザイン面３の表面は透過層１ａ（１ｂ）とフィルタ層２越しに肉眼で視認することができる。
【００２７】
次に、外来電磁波の低減およびマイナスイオン発生効果について説明する。
外来電磁波が飛来すると、電磁波低減手段４は、含有する電磁波遮蔽体である磁性粉が電磁波を吸収して電磁波の電気エネルギーを熱エネルギーに変換すると共に、同じく電磁波低減手段４に含有するマイナスイオン発生手段であるトルマリンがこの熱エネルギーを吸収することで、マイナスイオンの発生効果が得られることとなる。
【００２８】
また、コンピュータ作業者が光学式マウスｍを操作すると、マウスパッドＭ１（Ｍ２）の最上層である透過層１ａ（１ｂ）には摩擦や押圧等が与えられて、透過層１ａ（１ｂ）に含有するマイナスイオン発生手段からのマイナスイオンの発生効果が得られることとなる。
【００２９】
［実施形態３］
図４は実施形態１におけるマウスパッドの概略断面図である。実施形態３のマウスパッドＭ３は、透過層１ｃとフィルタ層２から構成している。
透過層１ｃは、可視光透過性を有し、その表面側には凹凸を形成してエンボス部１０する形成した樹脂シートである。
フィルタ層２は、可視光透過性を有する実質的に透明な樹脂に照射光吸収剤としてアントラキノン系化合物を１重量％程添加した樹脂シートである。
マウスパッドＭ３は、フィルタ層２の上面に透過層１ｃを積層し接着などにより接合する。マウスパッドＭ３を構成する透過層１ｃおよびフィルタ層２は可視光透過性を有しているため、肉眼による机ｆの透過視認性を損なうことはない。
【００３０】
上記構成を有する本実施形態３のマウスパッドＭ３は以下のように作用する。図５は実施形態３におけるマウスパッドの模式説明図である。
マウスパッドＭ３の上に光学式マウスｍを載せて移動させると、光学式マウスｍの発光器ａから照射された照射光ｂは、透過層１ｃの表面のエンボス部１０で反射した反射光ｃ１と、透過層１ｃとフィルタ層２を通過して、机ｆで反射して、再びフィルタ層２と透過層１ｃを通過した反射光ｃ３がからなる反射光量として受光器ｄに入射する。
【００３１】
ここで、フィルタ層２には照射光吸収剤が存在するため、全反射光量（ｃ１＋ｃ３）に対する反射光ｃ３成分による影響を５〜１０％と低く抑えることが可能である。フィルタ層２による照射光吸収率を９０％とした場合、往路で机ｆに到達する照射光は１／１０の１０％となり、机ｆで全反射したとしても復路においてその１／１０である１％まで低下するから、全反射光量（ｃ１＋ｃ３）に対する反射光ｃ３比は、１％程度まで低減させることも可能である。
【産業上の利用可能性】
【００３２】
本実施形態のマウスパッドＭ１、Ｍ２は、各層１〜５から選択される１以上の層をシート状に形成し、他の層はシート状に形成した層の上面や下面側に印刷形成することも可能である。あるいは、各層の全てをシート状に形成して積層形成するようにしてもよい。また、基材層５については、机ｆの天板自体の全部又は一部を基材層５とすることも可能であり、基材層の上部側に各層１〜４を形成することで、机ｆの全部又は一部をマウスパッドＭ１、Ｍ２として機能させるようにしてもよい。
また、本実施形態では、透過層１ａ（１ｂ）および電磁波低減手段４において、マイナスイオン発生手段としてトルマリンを用いているが、トルマリンに限定されるものではなく、例えば、天然稀有元素と遠赤外線放射鉱物の無機混合物の焼成粉末を用いることも可能である。さらに、本実施形態の透過層１ａ（１ｂ）、または電磁波低減手段４では、いずれかまたは双方のマイナスイオン発生手段を省略した構成とすることも可能である。
本発明のマウスパッドＭ１、Ｍ２、Ｍ３は、光学式マウスに使用する場合について説明したが、ボール式マウスのボールが滑らずに滑らかに回転でき、移動方向と移動距離を正確に検出する能力（トラッキング能力）にも優れることから、ボール式マウス用のマウスパッドとしても使用することができる。
【図面の簡単な説明】
【００３３】
【図１】実施形態１におけるマウスパッドの概略断面図である。
【図２】実施形態２におけるマウスパッドの概略断面図である。
【図３】実施形態１および２におけるマウスパッドの模式説明図である。
【図４】実施形態３におけるマウスパッドの概略断面図である。
【図５】実施形態３におけるマウスパッドの模式説明図である。
【符号の説明】
【００３４】
Ｍ１  光学式マウスパッド（実施形態１）
Ｍ２  光学式マウスパッド（実施形態２）
Ｍ３  光学式マウスパッド（実施形態３）
１ａ  透過層（実施形態１）
１ｂ  透過層（実施形態２）
１ｃ  透過層（実施形態３）
１０  エンボス部
１１  ビーズ
２  フィルタ層
３  デザイン面
４  電磁波低減手段
５  基材層
ａ  発光器
ｂ  照射光
ｃ１  入射光
ｃ２  入射光
ｃ３  入射光
ｄ  受光器
ｆ  机
ｍ  光学式マウス
【図１】
2008097568.tif 000003
【図２】
2008097568.tif 000004
【図３】
2008097568.tif 000005
【図４】
2008097568.tif 000006
【図５】
2008097568.tif 000007